(57)【特許請求の範囲】
【請求項１】
一端が枢着された電池蓋に、先端にロック爪を有し移動習性が与えられているロックレバーをスライド可能に取付け、前記電池蓋を閉じるとき、前記ロック爪の傾斜背面がボディ側の係止部に当たり、前記移動習性に抗して前記ロックレバーがわずかにスライドして戻ることにより前記ロック爪の係止内面が前記係止部の係止面に係止すると同時に電池に接続するバネ性接片による反力により前記ロック爪の係止内面が前記係止部の係止面を押し付けてロックする電池蓋のロック機構において、
前記ロック爪の係止内面の角度を前記係止部の係止面に対し１５°±１０°傾けるように構成したことを特徴とする電池蓋のロック機構。
【発明の詳細な説明】
【０００１】
【発明の属する技術分野】
本発明は、ディジタルカメラなどの電池収納部の電池蓋のロック機構に関する。
【０００２】
【従来の技術】
ディジタルカメラなどでは電池収納は操作性の観点から簡単に行えることが必要である。
そこで、電池蓋を閉じる機構として最も一般的なものとしては、ロック爪にバネ習性を与え、蓋を閉じたときロック爪が本体の一部に引っ掛かりロックする方式が用いられている。
今日ではディジタルカメラに代表されるように消費電力の大きい製品が多く出回っている。
【０００３】
【発明が解決しようとする課題】
そのため電源として単三電池を４個使用するものがディジタルカメラを始めとして多くの機種に採用されるようになってきている。
単三電池を４個用いた場合、電池の電極に用いているバネ接片の反力のトータルが大きなものになる。そのため、上記従来のロック機構では落下などで衝撃が与えられた場合、ロック爪が外れてしまうという問題が顕在化している。
【０００４】
図１はディジタルカメラの電池収容部における電池蓋ロック機構の一例を示す斜視図である。
ディジタルカメラボディ１の電池収納部９に４個の単三電池４が収容されている。電池蓋２の端部は軸７によりディジタルカメラボディー１に回転可能に取り付けられている。電池蓋２には先端にロック爪３ｂを有するロックレバー３がスライド可能に取り付けられている。
【０００５】
電池蓋２の裏側には単三電池４の電極に接続する接片（図示されていない）が設けられ、さらに電池収納部９の底部にはコイルバネ接片６が配置されている。電池蓋２の上面を押すと、電池蓋２の裏側の接片が電池を押し、さらに電池蓋２を押し込むことによりロックレバー３のロック爪３ｂがボディより突出している係止部５に引っ掛かりロック状態となる。
【０００６】
図２はロックレバーのロック爪が係止部に係合しロックされる動作を説明するための断面図である。
想像線（二点鎖線）で示すように電池蓋２を閉じていくと、ロックレバー３のロック爪３ｂの傾斜背面３ｅは係止部５の角部５ｂに突き当たる。さらに押し込むと、ロックレバー３はコイルバネ１２に抗して右方向に移動するため、ロック爪３ｂの先端部は係止部５の先端に当たりながら下降し、係止部５の先端の下部に達するとコイルバネ１２の付勢力により図３に示すように係止部５の係止面５ｂにロック爪３ｂの内面３ｄが係止する。
【０００７】
コイルバネ接片６や電池蓋裏面の接片の反力により電池蓋２を上方向に押し上げようとする力が働くため、ロック爪３ｂが係止した状態ではロック爪３ｂの内面が係止部５の係止面に押し付けられ電池蓋２がガタ付くことはなくロックされる。ロックを解除する場合は、解除ノブ３ａをコイルバネ１２に抗して右方向にスライドさせることにより、ロック爪３ｂは係止部５より外れ電池蓋２を開くことができる。
【０００８】
図６に従来のロックレバーと係止部の係止状態を示す。
単三電池が４個収容されて電池の接片で押されるトータルの反力１４が大きい場合には、ロック爪３ｂおよびロックレバー３が図６に示すように反り、係止部５の角部５ａがロック爪３ｂの上面の一点に圧接する状態となる。
このため上述したように衝撃などにより電池蓋が簡単に外れるという問題が生ずる。
本発明の課題は上記問題を解決するもので、ディジタルカメラ等に例えば４個の単三電池が用いられ、電池蓋を押す反力が大きい場合でも落下衝撃や乱暴な取扱いにより電池蓋のロックが外れることがないようにした電池蓋のロック機構を提供することにある。
【０００９】
【課題を解決するための手段】
前記課題を解決するために本発明による電池蓋のロック機構は、一端が枢着された電池蓋に、先端にロック爪を有し移動習性が与えられているロックレバーをスライド可能に取付け、前記電池蓋を閉じるとき、前記ロック爪の傾斜背面がボディ側の係止部に当たり、前記移動習性に抗して前記ロックレバーがわずかにスライドして戻ることにより前記ロック爪の係止内面が前記係止部の係止面に係止すると同時に電池に接続するバネ性接片による反力により前記ロック爪の係止内面が前記係止部の係止面を押し付けてロックする電池蓋のロック機構において、前記ロック爪の係止内面の角度を前記係止部の係止面に対し１５°±１０°傾けるように構成してある。
【００１０】
上記構成によれば、ロック爪の内面は係止部に係止時、係止部の係止面と面接触で接するようになり、衝撃が加わっても簡単に外れることはない。
【００１１】
【発明の実施の形態】
以下、図面を参照して本発明の実施の形態を詳しく説明する。
図３は本発明による電池蓋のロック機構の実施の形態を示す図で、ロックレバーの形状を示したものである。
ロック機構は図１，図２と同じ構造であり、ロックレバーのロック爪の形状を図３のようにしてある。
係止部５の係止面５ａに対し、ロックレバー８の内面の角度を１５°±１０°にしてある。
【００１２】
図４は、図３の形状にしたときのロック爪と係止部との係合状態を示している。電池の接片の大きな反力が加わると、ロックレバー８は変形するが、その結果ロック爪８の内面８ｂと係止部５の係止面５ａとは面接触状態となる。
このように面接触状態になると、例えば落下衝撃等が加わっても電池蓋が外れることはない。
本件発明者は、図３の形状で落下衝撃試験を行った結果、衝撃により電池蓋は開くことがないことを確認できた。
落下衝撃試験は、カメラを所定の高さから落下させ、これを所定回数繰り返すもので、ロック爪を係止した結果、図６になるような従来の形状では所定の回数落下を繰り返すうちに電池蓋が開くことがあったが、本発明によるロック機構のロック爪形状では一度も開くことはないという結果が得られた。
【００１３】
図５は、ストラップ設置位置とロック機構の関係を説明するための斜視図である。止め金具１０をディジタルカメラボディ１の電池収容部側の角に設け、ストラップ１１で保持する場合、ディジタルカメラボディ１の自重によりディジタルカメラボディ１の側面は矢印１３の方向に引っ張られる。そのため、ロックレバーのロック爪と係止部の係止量が少なくなる。電池蓋ロック機構に対し、このような位置にストラップ１１を設置するのは好ましくない。しかしながら、ロック爪の形状を本発明のように構成すれば、ストラップを設ける位置は図５の位置でも良く、カメラ設計上でストラップ取付位置の制約はなくなる。
図１，図２の例はロックレバーが１つの場合を説明したが、１つでは不十分な場合、２個数以上設けても同様に適用できるものである。
【００１４】
【発明の効果】
以上、説明したように本発明は、係止部に係止するロックレバーのロック爪の内面の傾きを係止部の係止面に対し、１５°±１０°とすることにより、例えば単三電池が４個収納されて電池接片の反力が大きい場合、ロック爪の内面は面接触で係止部の係止面に係合するように構成されているので、本体に衝撃が加わったり、乱暴な取扱いをしたりしても、電池蓋は簡単に開くことないという効果が得られる。
【図面の簡単な説明】
【図１】電池収容部の電池蓋ロック機構の一例を示す斜視図である。
【図２】ロックレバーのロック爪が係止部に係合しロックされる動作を説明するための断面図である。
【図３】本発明による電池蓋ロック機構のロック爪の実施の形態を示す図である。
【図４】本発明による電池蓋ロック機構のロック爪と係止部との係合状態を説明するための図である。
【図５】ストラップ設置位置とロック機構の関係を説明するための斜視図である。
【図６】従来のロックレバーと係止部の係止状態を示す図である。
【符号の説明】
１…ディジタルカメラボディ
２…電池蓋
３，８…ロックレバー
３ａ…解除ノブ
３ｂ…ロック爪
４…単三電池
５…係止部
６…コイルバネ接片
７…軸
１０…止め金具
１１…ストラップ
１２…コイルバネ
【図１】
0003580673.tif 000002
【図２】
0003580673.tif 000003
【図３】
0003580673.tif 000004
【図４】
0003580673.tif 000005
【図５】
0003580673.tif 000006
【図６】
0003580673.tif 000007